(57)【要約】【課題】安全に携帯することができる、そして取り扱いが簡単なシノ付番線カッターを提供すること。【解決手段】切断部と把持部を有する番線カッターにおいて、一対の把持部の少なくとも片方が中空部材から形成されており、この中空部材の中空部分に、シノ部材が繰出し収納自在に保持されているシノ付番線カッター。具体的には、シノ部材が、中空部材に設けられた摺動溝に沿って移動可能なネジ式の固定部材によって、固定されるようになっている。【選択図】図２
0003112366.tif 000002
【実用新案登録請求の範囲】
【請求項１】
切断部と把持部を有する番線カッターにおいて、一対の把持部の少なくとも片方が中空部材から形成されており、該中空部材の中空部分に、シノ部材が繰出し収納自在に保持されているシノ付番線カッター。
【請求項２】
シノ部材が、中空部材に設けられた摺動溝に沿って移動可能なネジ式の固定部材によって、固定されるようになっている請求項１記載のシノ付番線カッター。
【請求項３】
一対の把持部の少なくも片方が、カバー部材で被覆されている請求項１又は２記載のシノ付番線カッター。
【考案の詳細な説明】
【技術分野】
【０００１】
本考案は、複数の機能を備えた建設用作業工具、具体的には、シノを取付けた番線カッターに関する。
【背景技術】
【０００２】
建設用作業工具は、一つの工具で一工程の作業をするようになっているものが多いが、現実の作業現場では、複数の作業を連続して行う場合も多い。そのため、複数の機能を一つの工具としてまとめた多機能工具も開発されており、これらは作業者の携帯に便利なだけでなく、例えば、高所での作業の際の工具の落下事故の減少にも有効である。
【０００３】
建設現場、例えば、建築現場においては、従来、重機を用いて鉄筋等の主柱の設置が完了した後、その周囲に、内外装作業のための足場を設置することが行われている。この足場は、一般的に、複数のパイプ部材と作業踏面用のプレート部材とからなり、その設置に際しては、先ず、パイプ部材を主柱の周囲に組み上げ、その後、作業に適した箇所にプレート部材を取付けることが行われる。このとき作業者は、パイプ部材同士をボルトとナットによって連結しながらパイプ部材を組み上げるが、この工程ではラチェットレンチが使用される。パイプ部材の組み上げが完了すると、その後、プレート部材をパイプ部材間に載架し、プレート部材とパイプ部材とにわたって太い針金（番線）を巻付けることにより、プレート部材をパイプ部材に固定する。この工程で、針金の巻付け先端部と後端部とは、シノと称する金属棒状の工具により、一体に締付けられ、これによってプレート部材とパイプ部材とが強固に固定されるようになっている。かかる複数の工程で使用される複数の工具を一つにまとめたシノ付ラチェットランチが提案されている（特許文献１及び２）。
【特許文献１】実開平７−２７７６１号公報
【特許文献２】特開平８−２５２７７４号公報
【０００４】
シノは前記のような建築現場だけでなく、例えば、丸太の足場を組む際、番線を巻付け丸太を締付けて固定するためにも用いられる。一般的には、鉄あるいはアルミ鍛造によって作られ、先端部が円錐状に細くなった棒状の形のもの、あるいは先端部が少し湾曲している形状（曲がりシノ）のものである。そして、かかる目的に適した工具として、番線カッターにラチェットランチとシノを取付けた建設用作業工具も提案されている（特許文献３）。しかし、この工具は、番線カッターの一対の把持部の中の一つがシノを兼ねているものであり、前記のようにシノの先端は尖っているので、作業者が携帯するに際し安全性に問題がある。
【特許文献３】特開２００３−１９３７１号公報
【考案の開示】
【考案が解決しようとする課題】
【０００５】
本考案の課題は、安全に携帯することができる、そして取り扱いが簡単なシノ付番線カッターを提供することにある。
【課題を解決するための手段】
【０００６】
本考案の中、請求項１に記載された考案は、切断部と把持部を有する番線カッターにおいて、一対の把持部の少なくとも片方が中空部材から形成されており、この中空部材の中空部分に、シノ部材が繰出し収納自在に保持されているシノ付番線カッターである。
【０００７】
そして、請求項２に記載された考案は、シノ部材が、中空部材に設けられた摺動溝に沿って移動可能なネジ式の固定部材によって、固定されるようになっている請求項１記載のシノ付番線カッターである。
【０００８】
更に、請求項３に記載された考案は、一対の把持部の少なくも片方が、カバー部材で被覆されている請求項１又は２記載のシノ付番線カッターである。
【考案の効果】
【０００９】
本考案のシノ付番線カッターは、類似の従来の工具に比べて、作業者が安全に携帯でき、且つ作業現場では、シノ部材の繰り出し収納が簡単にできるので、取り扱い性に優れている。
【考案を実施するための最良の形態】
【００１０】
本考案の番線カッターとは、番線と呼ばれる太い針金だけでなく、通常、建設作業場で用いられる各種の線材を切断するためのカッターであり、切断部と把持部を有するハサミ様の工具を意味する。また、シノとは、金属製の棒状で先端部が円錐状に細くなった形の工具、あるいは先端部が少し湾曲している形状の工具であり、通常は、他端部は把持部となっているが、本考案でシノ部材というときは、シノの機能を有する工具あるいは部品という意味で、他端部は必ずしも把持部となっている必要はない。工具の使用に当っては、番線カッターの中空の把持部が、シノ部材の把持部としての機能も兼ねるからである。
【００１１】
本考案においては、一対の把持部の片方又は両方が中空部材から形成されている。そして、中空部材の一つの中空部分に、シノ部材が繰出し収納自在に保持されている。本考案においては、一対の把持部の中、少なくとも一つが中空部材であれば良く、他方は中実の部材であっても良いが、製作の容易さと工具の重さを考慮すると、一対の把持部の双方とも中空部材であるのが好ましい。シノ部材が中空部分に繰出し収納自在に保持されているが、請求項１に記載された発明では、繰出し収納自在に保持する手段は問わない。シノ部材を繰り出したときにシノとしての機能を発揮できる状態に保持できる限り、公知のどのような手段を用いても良い。
【００１２】
一方、請求項２に記載された考案は、シノ部材を繰出し収納自在に保持するのに好ましい態様を規定するものである。即ち、シノ部材が、中空部材に設けられた摺動溝に沿って移動可能なネジ式の固定部材によって、固定されるようになっている。シノ部材をシノとして使用するときには、中空部材の中空部分からシノ部材をその先端部分から引き出し、中空部材に設けられた摺動溝に沿って移動可能なネジ式の固定部材によってネジ締めしてシノ部材を固定する。作業が終了したときは、一旦ネジを緩めシノ部材を中空部分に収納し、ネジ式の固定部材によってネジ締めしてシノ部材を固定することによって、安全且つ安定して収納できる。
【００１３】
そして、シノ部材を、中空部材に設けられた摺動溝に沿って移動可能なネジ式の固定部材によって固定する具体的手段は、例えば、替刃式のカッターナイフにおいて知られているように、ホルダーに設けられた摺動溝（スライド溝）に沿って移動可能で、所定の位置でブレード（刃）をネジ締めして固定できるネジ式の固定部材等を挙げることができる。製作が容易で構造的に簡単なのは、中空部材に設けられた摺動溝に沿ってシノ部材と一体になって移動可能にした、トンボネジ、蝶ネジ、タップネジ等の締めネジからなる固定部材である。例えば、シノ部材の後端部（先端部と反対の側）近くに、タップでネジ穴を加工し、この穴に摺動溝を介してタップネジを挿入し、一体となったシノ部材とタップネジを摺動溝に沿って移動させ、適当な箇所でネジ締めを行うことによって、タップネジの先端部を中空部材の管壁に押付けると共に、シノ部材を反対側の管壁に押付けて押圧止め（固定）することができる。そして、ネジを緩めることによって、シノ部材を摺動溝に沿って自在に移動することができる。この場合において、中空部材の管壁の適当な箇所に、ネジの先端部が係止される係止穴を設けておいても良い。
【００１４】
請求項３に記載された考案は、一対の把持部の少なくも片方が、カバー部材で被覆されているものであるが、カバー部材としては、例えば、ゴム、天然又は合成皮革、ブラスチック製のカバーが挙げられる。一対の把持部の中、シノ部材が繰出し収納自在に保持されていない方の把持部に被覆するカバー部材は、作業者が工具を持ちやすい形状、長さの任意に加工することができる。シノ部材が繰出し収納自在に保持されている方の把持部には、カバー部材を設けない方が、シノ部材の出し入れには便利である。設ける場合には、カバー部材を、中空部材の摺動溝と端末の開口部（シノ部材の出入口）を覆わない形状にすべきである。以下、実施例で本考案を詳述する。
【実施例】
【００１５】
図１は、本考案のシノ付番線カッターの概略図であり、シノ部材が把持部の中空部分に収納されている状態を示している。１は切断部、２は把持部、３は中空部材であり、４は中空部材に設けられた摺動溝、５は摺動溝に沿って移動可能なネジ式の固定部材、６はシノ部材、７はフックを示している。図１においては、一対の把持部の中、シノ部材が収納されていない方の中空部材のみカバー部材８で被覆されている。
【００１６】
図２は、シノ部材６が把持部の中空部分から引き出されている状態を示している。図１においても図２においても、シノ部材は、摺動溝４に沿って移動可能なネジ式の固定部材５によって固定されている。図３にネジ式の固定部材の例を示した。シノ部材６にタップでネジ穴９を加工し、この穴に摺動溝４を介してネジ式の固定部材５（図３においてはタップネジ）を挿入しておき、シノ部材を固定する場合にはネジ締めを行うことによって、図３に示した様に、タップネジ５の先端部を中空部材３の管壁に押付けると共に、シノ部材を反対側の管壁に押付けることによってシノ部材を押圧止め（固定）することができる。また、ネジを緩めるとシノ部材を摺動溝に沿って自在に移動することができる。
【図面の簡単な説明】
【００１７】
【図１】本考案のシノ付番線カッターの概略図（シノ部材が把持部の中空部分に収納されている状態のもの）である。
【図２】本考案のシノ付番線カッターの概略図（シノ部材が把持部の中空部分から引出されて状態のもの）である。
【図３】ネジ式の固定部材の例を説明する断面図である。
【符号の説明】
【００１８】
１  切断部
２  把持部
３  中空部材
４  中空部材に設けられた摺動溝
５  摺動溝に沿って移動可能なネジ式の固定部材
６  シノ部材
７  フック
８  カバー部材
９  ネジ穴
【図１】
0003112366.tif 000003
【図２】
0003112366.tif 000004
【図３】
0003112366.tif 000005